(57)【要約】  上側のシェルが下側のシェルに対して反転された状態となるこれら２つの同一のシェル（１６）から構成される容器（１２）を備える、液体を輸送するためのシステムを開示する。２つのシェル（１６）を互いに引っ張るためのトグル（３２）及び掛け金（３４）が設けられる。容器はフレーム上にあり、このフレームは、容器の下側シェルのベースにおける入口／出口（２６．１）に連結するためのパイプ機構（４４）を備える。容器の上側シェルの上端における同等の入口／出口が、ガス排出通気孔（５２）を受ける。フレキシブルタンク（４６）が容器（１２）内に設けられ、入口／出口が、バッグの内部と通じている。フレームは、ただ１つの容器を収容する代わりに、２つ、３つ、又はそれ以上の容器を、並列で支持するように構成することができる。【選択図】図１
2013501685.tif 000002
【特許請求の範囲】
【請求項１】
液体を運搬するための構造体であって、
上側のシェル及び下側のシェルを含む剛性容器が設けられており、
前記上側及び下側のシェルは、前記剛性容器を形成するために、前記上側のシェルが反転された状態で、これらのシェルを取外し可能に互いに取り付けることができるようにする取付け手段を備え、
前記シェルが、空の状態で運搬されるときには互いに重ねて収容されるように構成され、
前記容器内のフレキシブルタンクに連結するための底部入口／出口が、充填及び空にするために前記剛性容器を貫通して設けられており、
前記容器の上端部にて、通気孔が前記容器内のフレキシブルタンクに連結するよう前記容器を貫通して設けられている、構造体。
【請求項２】
前記剛性容器のうちの１つ又は複数の容器を支持し、輸送コンテナへの積込みを容易にするための、車輪付きのフレームをさらに備える、請求項１に記載の構造体。
【請求項３】
前記フレームが、返送を容易にするために複数の分離可能な部品から構成される、請求項２に記載の構造体。
【請求項４】
前記フレームが、サイドメンバ及びクロスメンバを備え、前記クロスメンバのうちの少なくとも１つに孔が存在し、パイプが前記孔を通って前記底部入口／出口に連結される、請求項２又は３に記載の構造体。
【請求項５】
前記フレームが４つのクロスメンバを備え、これらが３つの前記剛性容器用の支持体を実現し、前記クロスメンバのうちの３つが孔を含み、前記孔を通り、前記底部入口／出口に連結されるパイプが存在する、請求項４に記載の構造体。
【請求項６】
前記シェルがそれぞれ、ベースと、前記ベースから上方に延び外側に傾斜する１対の端壁と、前記ベースから上方に延び外側に傾斜する１対の側壁とを備え、それにより前記シェルの開口は前記ベースよりも面積が大きい、請求項１〜５のいずれか一項に記載の構造体。
【請求項７】
前記シェルがそれぞれ、当該シェルの前記開口と境界を接する前記壁の縁部の回りに延在する外側に向いた周縁部を備え、２つの前記シェルが積み重ねて配置されて前記剛性容器を形成するとき、前記２つのシェルの前記周縁部が互いに接触する、請求項６に記載の構造体。
【請求項８】
前記ベースから外側に突出して、前記シェルを支持するとともに前記ベースを補強するスキッドを備える、請求項７に記載の構造体。
【請求項９】
前記取外し可能な取付け手段が、前記シェル同士を引っ張るための掛け金及びトグルクランプを備える、請求項１〜８のいずれか一項に記載の構造体。
【請求項１０】
前記シェルがそれぞれ、ポリエステルとガラスファイバの複合サンドイッチ構成である、請求項１〜９のいずれか一項に記載の構造体。
【請求項１１】
前記シェルが、その加熱を可能にするための手段を備える、請求項１〜１０のいずれか一項に記載の構造体。
【請求項１２】
請求項１〜１１のいずれか一項に記載の構造体と、前記容器内のフレキシブルタンクとの組合せであって、前記フレキシブルタンクが前記底部入口／出口に連結された充填／排出ポートを有する、組合せ。
【発明の詳細な説明】
【技術分野】
【０００１】
本発明は、液体の輸送に関し、詳細には危険な液体の輸送に関する。
【背景技術】
【０００２】
危険な液体を含む危険物の運搬は、いくつかの国際協定によって管理されている。その１つが、海上における人命の安全のための国際条約である。
【０００３】
液体を輸送する際に現時点で広く使用されている構造体はＩＳＯタンクであり、これは、通常はステンレス製で円筒形のタンク本体、及びこのタンクを支持し保護する頑丈なフレームを備える。
【０００４】
広く使用されている他の構造体は、標準の輸送コンテナに大きさが合う、いわゆるフレキシタンクを備える。
【発明の概要】
【発明が解決しようとする課題】
【０００５】
本発明の目的は、あらゆる国際協定の要求事項を満たし、現在利用可能な構造体よりも、製造し、使用し、空の状態で戻すのに経済的な、新規の改良された構造体を提供することである。
【課題を解決するための手段】
【０００６】
本発明は、液体を運搬するための構造体を提供するものである。この構造体は、上側のシェル及び下側のシェルを含む剛性容器を備え、これらのシェルは、剛性容器を形成するために、上側のシェルが反転された状態で、これらのシェルを取外し可能に互いに取り付ける取付け手段を備え、シェルは、空の状態で運搬されるときには互いに重ねて収容されるように構成され、容器内のフレキシブルタンクに連結するための底部入口／出口が、充填及び空にするために剛性容器を貫通して設けられ、容器の上端部における通気孔が、容器を貫通して容器内のフレキシブルタンクに連結されるよう設けられている。
【０００７】
この構造体はさらに、前記剛性容器のうちの１つ又は複数の容器を支持し、輸送コンテナへの積込みを容易にするための、車輪付きのフレームを備えることができる。このフレームは、返送を容易にするために複数の分離可能な部品から構成されることが好ましく、サイドメンバ及びクロスメンバを備えることができ、このクロスメンバのうちの少なくとも１つに孔が存在し、パイプがこの孔を通って前記底部入口／出口に連結される。
【０００８】
好ましい形態では、前記フレームが４つのクロスメンバを備え、これらが３つの剛性容器用の支持体を実現し、このクロスメンバのうちの３つが孔を含み、これらの孔を通り、フレキシブルタンクの底部入口／出口に連結されるパイプが存在する。
【０００９】
シェルはそれぞれ、ベース、このベースから上方に延び外側に傾斜する１対の端壁、及びこのベースから上方に延び外側に傾斜する１対の側壁を備え、それによりシェルの開口はベースよりも面積が大きい。
【００１０】
シェルそれぞれはさらに、シェルの開口と境界を接する壁の縁部の回りに延在する外側に向いた周縁部を備え、２つのシェルが積み重ねて配置されて剛性容器を形成するとき、２つのシェルの周縁部は互いに接触する。
【００１１】
前記ベースから外側に突出しているスキッドは、シェルを支持するとともに、ベースを補強する。
【００１２】
取外し可能な取付け手段は、シェル同士を引っ張るための掛け金及びトグルクランプを備えることが好ましい。
【００１３】
シェルはそれぞれ、適切な補強コアを有するポリエステルとガラスファイバの複合サンドイッチ構成とすることができる。
【００１４】
本発明はまた、上述の構造体と容器内のフレキシブルタンクを組み合わせて実現し、このフレキシブルタンクは、前記底部入口／出口に連結された充填排出ポートを有する。
【００１５】
本発明をよりよく理解できるように、また本発明がどのようにして実行に移されるのかを示すために、次に、一例として添付図面を参照する。
【図面の簡単な説明】
【００１６】
【図１】本発明の構造体を示すために一部切り欠いた、標準のＩＳＯ輸送コンテナの概略図である。
【図２】フレーム上の３つの剛性容器を示す図である。
【図３】フレームの詳細図である。
【図４】フレキシブルタンクをも示す、本発明による構造体を通して見た概略断面図である。
【図５】剛性容器の半分を形成するシェルの概略図である。
【図６】２つのシェルを互いに締め付けて剛性容器を形成する手段を示す詳細図である。
【図７】支持フレーム上の３つの剛性容器の下面図である。
【図８】フレームを示す概略図である。
【図９】フレームの構成部品を示す図である。
【図１０】積み重ねられた空容器のシェルを示す図である。
【図１１】フレーム上に積み重ねられた３組の空容器のシェルを示す図である。
【図１２】標準の輸送コンテナの中にある、図１１のフレーム及び各組のシェルを示す図である。
【発明を実施するための形態】
【００１７】
最初に図１〜５を参照すると、図１の参照番号１０が、２０フィート又は４０フィートのコンテナなど標準のＩＳＯ輸送コンテナを示している。輸送コンテナ内にある３つの剛性容器１２が示されており、これらはフレーム１４上にある。
【００１８】
剛性容器１２それぞれが、２つの同一のシェル１６（図５参照）を備え、その側壁及び端壁１８、２０が外側に傾斜している。下側のシェルに対して上側のシェルが反転されている。各シェル１６は、横方向の平行スキッド２４によって補強されたベース２２を有する。各ベース２２は円形の開口を有し、この開口は蓋２６によって閉じられる。
【００１９】
外側に突出している周縁部２８（図６参照）が、各シェル１６の周辺部全体の回りに延在する。各シェル１６は、周縁部２８に隣接してシェルに固定されている６枚のプレート３０を有する。各シェルの長い方の側部の１つに、２つのトグルが取り付けられており、短い方の側部の１つに、１つのさらなるトグル３２が取り付けられている。長い方の側部のもう一方には、２つの突出している掛け金３４があり、短い方の側部のもう一方には、１つのさらなる突出している掛け金がある。図６に示すように、各トグル３２のループが掛け金３４のうちの１つと係合して、２つのシェル１６の周縁部を引っ張り、向き合って接触するようにする。
【００２０】
これらの剛性容器を支持するためのフレームが符号３６で示されており（図８及び図９参照）、２つのフレーム構成部品３６．１を備え、これが差込み口と受け口のように相互に係合する。各フレーム構成部品は、２つのサイドメンバ３８及び２つのクロスメンバ４０を有する。クロスメンバ４０の開口４２により、パイプ４４がフレーム３６に沿って延設され得る。
【００２１】
各剛性容器１２の内部にはフレキシブルタンク４６がある（図４参照）。厚さが例えば１２００ミクロンの単層又は多層の合成プラスチックフィルムを使用して、フレキシブルタンクを製造することができる。パイプ４４は、それぞれをフレキシブルタンク４６のうちの１つに連結することができるように、長さが区々となっている。各フレキシブルタンクは、容器１２の底部入口／出口に連結された下側の充填／排出ポート４６．１、及び上側の通気孔ポート４６．２を有する。
【００２２】
車輪４８（図３、図４及び図８参照）が両方のフレーム構成部品３６．１に設けられており、上部に３つの剛性容器１２を有するフレーム３６の、輸送コンテナ１０への移動を容易にする。
【００２３】
パイプ４４はバルブ５０（図４参照）を備え、このバルブにより、フレキシブルタンク４６に充填し、そこから排出することが可能になる。反転された上側のシェル１６のベース２２における開口が、圧力解放通気孔５２を受け、ポート４６．２がこれらに連結される。２つ以上の剛性容器を有する構成では、フレームの一端での隆起部（ｂａｎｋ）にバルブ５０を設けて、フレキシブルタンクに独立して充填することが可能になる。
【００２４】
フレキシブルタンク４６を内部に有する剛性容器１２が最終目的地に輸送された後に、タンク４６を空にし、次いでシェル１６から取り外す。トグルクランプ３２が解除され、次いで上側のシェル１６が反転され、下側のシェルに重ねて収容される（図１０〜図１２参照）。重ねて収容されたシェルの３つの山は、図１２に示した標準の輸送コンテナにぴったりと収容される。
【００２５】
図示実施形態では、フレーム上に３つの容器が示されている。しかし、輸送される液体が必要とする場合には、このフレームは単一の容器、又は２つの容器、又は４つ以上の容器を運ぶことが可能である。
【００２６】
タンク４６のポート４６．１は、充填する前に、下側のシェルの入口／出口開口に固定される。通気が必要でなく、フレキシブルタンクがポート４６．２を有していない場合、反転された上側のシェルは、トグル及び掛け金によって下側のシェルに固定され、ここでフレキシブルタンクに充填することができる。
【００２７】
通気が必要とされる場合、タンクはポート４６．２を有する。上側のシェルが下側のシェルの上に反転された状態で、ポート４６．２が、上側のシェルの充填／排出開口に取り付けられた通気孔５２に連結される。次いで、シェルが互いに連結され、充填を開始することができる。
【００２８】
容器が上部に載っているフレームをＩＳＯコンテナに移動させ、その後、タンクがいくつあるかに応じて（１つ又は複数の）バルブ５０を通して充填を開始することが好ましい。しかし、フレーム及びタンクをＩＳＯコンテナに移動させる前に、タンクに充填することも可能である。
【００２９】
フレーム及びその上の容器は、移動しないようＩＳＯコンテナに固定することができる。従来のロープ止め手段を使用することができる。
【００３０】
容器の容量は、例えば５０００リットル〜３００００リットルの間の範囲とすることができる。
【００３１】
容器は熱的に断熱することができる。代替的に又は追加的に、容器を加熱することができる。加熱するための手段は、シェルに埋め込まれた電気抵抗線、又は加熱された媒体がそこを通って循環できるシェル内の通路などとすることができる。
【図１】
2013501685.tif 000003
【図２】
2013501685.tif 000004
【図３】
2013501685.tif 000005
【図４】
2013501685.tif 000006
【図５】
2013501685.tif 000007
【図６】
2013501685.tif 000008
【図７】
2013501685.tif 000009
【図８】
2013501685.tif 000010
【図９】
2013501685.tif 000011
【図１０】
2013501685.tif 000012
【図１１】
2013501685.tif 000013
【図１２】
2013501685.tif 000014
【国際調査報告】
2013501685.tif 000015
2013501685.tif 000016